(57)【要約】【課題】発電部の余剰電力を蓄電池残量の少ない蓄電装置に充電し易くすることができ、これにより蓄電装置の蓄電池残量の偏りを緩和することができる電力供給システムを提供する。【解決手段】センサ４１・４２・４３と、太陽光発電部１１・２１・３１、蓄電池１２・２２・３２及びハイブリッドパワコン１３・２３・３３を具備する蓄電システム１０・２０・３０と、ハイブリッドパワコン１３・２３・３３とセンサ４１・４２・４３とを１対１で互いに接続させる切替装置５０と、蓄電池１２・２２・３２の蓄電池残量を取得し、当該取得した蓄電池残量の少ない順番に蓄電池１２・２２・３２の充電の優先順位を設定し、前記優先順位に基づいて切替装置５０を動作させて、ハイブリッドパワコン１３・２３・３３とセンサ４１・４２・４３との接続を切り替える切替制御を行うＥＭＳ６０と、を具備する。【選択図】図１
2019054594.tif 000002
【特許請求の範囲】
【請求項１】
系統電源から負荷に至る配電線上の互いに異なる箇所に複数設けられ、当該設けられた箇所を流通する電力を検出可能なセンサと、
発電可能な発電部、及び前記発電部によって発電された電力を充電可能であると共に、前記センサの検出値に基づいて負荷追従運転を行うことで前記負荷へ電力を放電可能な蓄電装置を具備し、前記配電線に複数接続された電力供給部と、
前記蓄電装置と前記センサとを１対１で互いに接続させる切替装置と、
前記蓄電装置の蓄電池残量を取得し、当該取得した蓄電池残量の少ない順番に前記蓄電装置の充電の優先順位を設定し、前記優先順位に基づいて前記切替装置を動作させて、前記蓄電装置と前記センサとの接続を切り替える切替制御を行う制御部と、
を具備する、
電力供給システム。
【請求項２】
前記制御部は、
前記優先順位の最も上位の前記蓄電装置が、最も上流側に配置される前記センサと接続されるように、前記切替制御を行う、
請求項１に記載の電力供給システム。
【請求項３】
前記制御部は、
最も上流側に配置される前記センサによって前記系統電源へと逆潮流される電力を検出した場合に、前記切替制御を行う、
請求項１又は請求項２に記載の電力供給システム。
【請求項４】
前記制御部は、
前記切替制御を行った場合、最も上流側に配置された前記蓄電装置を放電不可とする、
請求項１から請求項３までのいずれか一項に記載の電力供給システム。
【請求項５】
前記切替装置は、
初期状態において、前記蓄電装置と当該蓄電装置のすぐ上流側の前記センサとを接続しており、
前記制御部は、
最も上流側に配置される前記センサによって前記系統電源から購入される電力を検出した場合に、前記切替装置を前記切替制御がなされた切替状態から前記初期状態に戻す、
請求項１から請求項４までのいずれか一項に記載の電力供給システム。
【請求項６】
前記切替装置は、
内部に前記蓄電装置及び前記センサと接続された電路を有し、当該電路を開閉することで、前記蓄電装置と前記センサとを１対１で互いに接続させる、
請求項１から請求項５までのいずれか一項に記載の電力供給システム。
【発明の詳細な説明】
【技術分野】
【０００１】
本発明は、電力を充放電可能な複数の蓄電装置を有する電力供給システムの技術に関する。
【背景技術】
【０００２】
従来、電力を充放電可能な複数の蓄電装置を有する電力供給システムの技術は公知となっている。例えば、特許文献１に記載の如くである。
【０００３】
特許文献１には、電源（系統電源）から負荷に至る電力配線（配電線）に接続された複数の蓄電装置を具備する電力供給システムが記載されている。各蓄電装置は、電力配線を介して電源から供給される電力を蓄積し、蓄積している電力を電力配線を介して負荷に供給する。このような電力供給システムにおいては、複数の蓄電装置からの電力を負荷へと供給することができる。すなわち、１つの蓄電装置だけでは得ることが困難な電力量を、負荷へと供給することができる。
【０００４】
また、特許文献１に記載の電力供給システムにおいては、蓄電装置の充電状態や充電回数に基づいて、負荷へと電力を供給する蓄電装置を決定している。これによって、複数の蓄電装置のうち、特定の蓄電装置に放電や充電が偏ることを防止している。
【０００５】
一方で、太陽光を利用して発電可能な発電部を具備し、発電部によって発電された電力を負荷に供給し、その余剰電力を複数の蓄電装置に充電可能な電力供給システムも知られている。しかしながら、特許文献１に記載の技術は、深夜電力等の一括購入した電力の充電先を決定するものであって、発電部の余剰電力の充電先について開示するものではなかった。
【先行技術文献】
【特許文献】
【０００６】
【特許文献１】特開２０１３−１７９７２９号公報
【発明の概要】
【発明が解決しようとする課題】
【０００７】
本発明は、以上の如き状況を鑑みてなされたものであり、その解決しようとする課題は、発電部の余剰電力を蓄電池残量の少ない蓄電装置に充電し易くすることができ、これにより蓄電装置の蓄電池残量の偏りを緩和することができる電力供給システムを提供するものである。
【課題を解決するための手段】
【０００８】
本発明の解決しようとする課題は以上の如くであり、次にこの課題を解決するための手段を説明する。
【０００９】
即ち、請求項１においては、系統電源から負荷に至る配電線上の互いに異なる箇所に複数設けられ、当該設けられた箇所を流通する電力を検出可能なセンサと、発電可能な発電部、及び前記発電部によって発電された電力を充電可能であると共に、前記センサの検出値に基づいて負荷追従運転を行うことで前記負荷へ電力を放電可能な蓄電装置を具備し、前記配電線に複数接続された電力供給部と、前記蓄電装置と前記センサとを１対１で互いに接続させる切替装置と、前記蓄電装置の蓄電池残量を取得し、当該取得した蓄電池残量の少ない順番に前記蓄電装置の充電の優先順位を設定し、前記優先順位に基づいて前記切替装置を動作させて、前記蓄電装置と前記センサとの接続を切り替える切替制御を行う制御部と、を具備するものである。
【００１０】
請求項２においては、前記制御部は、前記優先順位の最も上位の前記蓄電装置が、最も上流側に配置される前記センサと接続されるように、前記切替制御を行うものである。
【００１１】
請求項３においては、前記制御部は、最も上流側に配置される前記センサによって前記系統電源へと逆潮流される電力を検出した場合に、前記切替制御を行うものである。
【００１２】
請求項４においては、前記制御部は、前記切替制御を行った場合、最も上流側に配置された前記蓄電装置を放電不可とするものである。
【００１３】
請求項５においては、前記切替装置は、初期状態において、前記蓄電装置と当該蓄電装置のすぐ上流側の前記センサとを接続しており、前記制御部は、最も上流側に配置される前記センサによって前記系統電源から購入される電力を検出した場合に、前記切替装置を前記切替制御がなされた切替状態から前記初期状態に戻すものである。
【００１４】
請求項６においては、前記切替装置は、内部に前記蓄電装置及び前記センサと接続された電路を有し、当該電路を開閉することで、前記蓄電装置と前記センサとを１対１で互いに接続させるものである。
【発明の効果】
【００１５】
本発明の効果として、以下に示すような効果を奏する。
【００１６】
請求項１においては、発電部の余剰電力を蓄電池残量の少ない蓄電装置に充電し易くすることができ、これにより蓄電装置の蓄電池残量の偏りを緩和することができる。
【００１７】
請求項２においては、発電部の余剰電力を、最も下流側に配置される蓄電装置に充電し易くすることができる。
【００１８】
請求項３においては、発電部の余剰電力があることを確認したうえで、切替制御を行うことができる。
【００１９】
請求項４においては、最も上流側に配置された蓄電装置から放電された電力が系統電源へと逆潮流されるのを防ぐことができる。
【００２０】
請求項５においては、太陽光発電部の余剰電力がないにもかかわらず、切替装置が切替状態のままとなるのを防ぐことができる。
【００２１】
請求項６においては、簡単に蓄電装置とセンサとを接続することができる。
【図面の簡単な説明】
【００２２】
【図１】第一実施形態に係る電力供給システムの構成を示したブロック図。
【図２】第一実施形態に係る電力供給システムの切替装置の構成を示したブロック図。
【図３】第一実施形態に係る切替装置の初期状態を示したブロック図。
【図４】第一実施形態において、切替装置が初期状態の場合の電力の供給態様の一例を示したブロック図。
【図５】第一実施形態に係るＥＭＳによる事前設定の処理を示したフローチャート。
【図６】第一実施形態に係るＥＭＳによる切替装置の動作の処理を示したフローチャート。
【図７】第一実施形態に係る切替装置の第一切替状態を示したブロック図。
【図８】第一実施形態に係る切替装置の第二切替状態を示したブロック図。
【図９】第一実施形態において、切替装置が第一切替状態の場合の電力の供給態様の一例を示したブロック図。
【図１０】第一実施形態において、切替装置が第二切替状態の場合の電力の供給態様の一例を示したブロック図。
【図１１】第二実施形態に係る電力供給システムの構成を示したブロック図。
【図１２】第二実施形態に係る電力供給システムの切替装置の構成を示したブロック図。
【図１３】第二実施形態に係る切替装置の初期状態を示したブロック図。
【図１４】第二実施形態において、切替装置が初期状態の場合の電力の供給態様の一例を示したブロック図。
【図１５】第二実施形態に係るＥＭＳによる切替装置の動作の処理を示したフローチャート。
【図１６】第二実施形態に係る切替装置の第三切替状態を示したブロック図。
【図１７】第二実施形態において、切替装置が第三切替状態の場合の電力の供給態様の一例を示したブロック図。
【発明を実施するための形態】
【００２３】
以下では、図１及び図２を用いて、第一実施形態に係る電力供給システム１の構成について説明する。
【００２４】
図１に示す電力供給システム１は、系統電源Ｋからの電力や、太陽光を利用して発電された電力を負荷Ｈへと供給するものである。電力供給システム１は、集合住宅に設けられ、当該集合住宅の負荷Ｈ（例えば、複数の住宅の機器等）へと電力を供給する。電力供給システム１は、主として第一蓄電システム１０、第二蓄電システム２０、第三蓄電システム３０、第一センサ４１、第二センサ４２、第三センサ４３、切替装置５０及びＥＭＳ６０を具備する。
【００２５】
第一蓄電システム１０は、太陽光を利用して発電された電力を蓄電したり、負荷Ｈへと供給するものである。第一蓄電システム１０は、太陽光発電部１１、蓄電池１２及びハイブリッドパワコン１３を具備する。
【００２６】
太陽光発電部１１は、太陽光を利用して発電する装置である。太陽光発電部１１は、太陽電池パネル等により構成される。太陽光発電部１１は、例えば、住宅の屋根の上等の日当たりの良い場所に設置される。
【００２７】
蓄電池１２は、電力を充電可能に構成されるものである。蓄電池１２は、例えば、リチウムイオン電池により構成される。蓄電池１２は、後述するハイブリッドパワコン１３を介して太陽光発電部１１と接続される。
【００２８】
ハイブリッドパワコン１３は、電力を適宜変換するもの（ハイブリッドパワーコンディショナ）である。ハイブリッドパワコン１３は、太陽光発電部１１で発電された電力及び蓄電池１２から放電された電力を負荷Ｈに出力可能であると共に、太陽光発電部１１で発電された電力及び系統電源Ｋからの電力を蓄電池１２に出力可能に構成される。また、ハイブリッドパワコン１３は、太陽光発電部１１及び蓄電池１２の運転状態に関する情報を取得可能に構成される。ハイブリッドパワコン１３は、所定の記憶装置に蓄電池１２の最大充電量を記憶している。このようなハイブリッドパワコン１３は、系統電源Ｋから負荷Ｈへと電力を供給する電力経路Ｌの第一接続点Ｐ１と接続される。
【００２９】
このように構成される第一蓄電システム１０のハイブリッドパワコン１３は、後述する第一センサ４１の検出結果等に基づいて、蓄電池１２の充放電を切り替えることができる。
【００３０】
第二蓄電システム２０は、第一蓄電システム１０よりも電力経路Ｌの上流側の第二接続点Ｐ２にハイブリッドパワコン２３が接続される点を除いて、第一蓄電システム１０と同様に構成される。具体的には、第二蓄電システム２０の太陽光発電部２１、蓄電池２２及びハイブリッドパワコン２３は、それぞれ第一蓄電システム１０の太陽光発電部１１、蓄電池１２及びハイブリッドパワコン１３に相当する。
【００３１】
第三蓄電システム３０は、第二蓄電システム２０よりも電力経路Ｌの上流側の第三接続点Ｐ３にハイブリッドパワコン３３が接続される点を除いて、第一蓄電システム１０と同様に構成される。具体的には、第三蓄電システム３０の太陽光発電部３１、蓄電池３２及びハイブリッドパワコン３３は、それぞれ第一蓄電システム１０の太陽光発電部１１、蓄電池１２及びハイブリッドパワコン１３に相当する。
【００３２】
第一センサ４１は、電力経路Ｌにおいて、第一接続点Ｐ１と第二接続点Ｐ２との間に設けられる。また、第一センサ４１は、第一接続点Ｐ１の上流側（系統電源Ｋ側）に隣接するように（電力経路Ｌと他の蓄電システムとの接続点が介在しないように）設けられる。第一センサ４１は、設けられた箇所を流通する電力（例えば、負荷Ｈ等へと供給される電力や、系統電源Ｋへと逆潮流される電力）の電圧（供給電圧）及び電流（供給電流）を検出する。
【００３３】
第二センサ４２は、電力経路Ｌにおいて、第二接続点Ｐ２と第三接続点Ｐ３との間に設けられる点を除いて、第一センサ４１と同様に構成される。
【００３４】
第三センサ４３は、電力経路Ｌにおいて、第三接続点Ｐ３と系統電源Ｋとの間に設けられる点を除いて、第一センサ４１と同様に構成される。
【００３５】
切替装置５０は、各ハイブリッドパワコン（ハイブリッドパワコン１３・２３・３３）と各センサ（第一センサ４１、第二センサ４２、第三センサ４３）とを１対１で互いに接続させるためのものである。切替装置５０は、各ハイブリッドパワコン（ハイブリッドパワコン１３・２３・３３）と各センサ（第一センサ４１、第二センサ４２、第三センサ４３）とを接続するための配線の中途部に設けられ、当該配線を介して各ハイブリッドパワコン及び各センサとそれぞれ接続される。図２に示すように、切替装置５０は、その内部に前記配線と接続された電路を有する。当該電路は、その中途部で適宜分岐して、各ハイブリッドパワコン（ハイブリッドパワコン１３・２３・３３）と各センサ（第一センサ４１、第二センサ４２、第三センサ４３）とを互いに接続可能に構成される。電路には、分岐する部分に複数の内部連結点（第一内部連結点Ｐ１１から第八内部連結点Ｐ１８まで）が設けられる。
【００３６】
第一内部連結点Ｐ１１は、電路の最も第一センサ４１に近い側に設けられる。電路は、第一内部連結点Ｐ１１で各ハイブリッドパワコン（ハイブリッドパワコン１３・２３・３３）に向けて図面（紙面）の上下３つに分岐する。
【００３７】
第二内部連結点Ｐ１２は、電路の最も第二センサ４２に近い側に設けられる。電路は、第二内部連結点Ｐ１２で各ハイブリッドパワコン（ハイブリッドパワコン１３・２３・３３）に向けて図面の左右３つに分岐する。当該分岐した電路のうち右側の電路は、後述する第七内部連結点Ｐ１７を介して第一内部連結点Ｐ１１で上側に分岐した電路と接続される。
【００３８】
第三内部連結点Ｐ１３は、電路の最も第三センサ４３に近い側に設けられる。電路は、第三内部連結点Ｐ１３で各ハイブリッドパワコン（ハイブリッドパワコン１３・２３・３３）に向けて図面の上下３つに分岐する。当該分岐した電路のうち上側の電路は、後述する第八内部連結点Ｐ１８を介して第二内部連結点Ｐ１２で左側に分岐した電路と接続される。
【００３９】
第四内部連結点Ｐ１４は、電路の最もハイブリッドパワコン１３に近い側に設けられる。第四内部連結点Ｐ１４には、第一内部連結点Ｐ１１で下側に分岐した電路及び第三内部連結点Ｐ１３で上側に分岐した電路が接続される。また、第四内部連結点Ｐ１４には、第八内部連結点Ｐ１８を介して第二内部連結点Ｐ１２で左側に分岐した電路が接続される。
【００４０】
第五内部連結点Ｐ１５は、電路の最もハイブリッドパワコン２３に近い側に設けられる。第五内部連結点Ｐ１５には、第一内部連結点Ｐ１１から第三内部連結点Ｐ１３までで中央に分岐した電路が接続される。
【００４１】
第六内部連結点Ｐ１６は、電路の最もハイブリッドパワコン３３に近い側に設けられる。第六内部連結点Ｐ１６には、第一内部連結点Ｐ１１で上側に分岐した電路及び第三内部連結点Ｐ１３で下側に分岐した電路が接続される。また、第六内部連結点Ｐ１６は、第七内部連結点Ｐ１７を介して第二内部連結点Ｐ１２で右側に分岐した電路が接続される。
【００４２】
第七内部連結点Ｐ１７は、第一内部連結点Ｐ１１で上側に分岐した電路の中途部に設けられる。
【００４３】
第八内部連結点Ｐ１８は、第三内部連結点Ｐ１３で上側に分岐した電路の中途部に設けられる。
【００４４】
このような電路を有する切替装置５０は、第一スイッチ５１から第九スイッチ５９までを具備する。第一スイッチ５１から第九スイッチ５９までは、前記電路に適宜設けられ、当該設けられた箇所を開閉する。第一スイッチ５１から第九スイッチ５９までは、例えば機械式リレーによって構成される。
【００４５】
第一スイッチ５１は、第一内部連結点Ｐ１１で下側に分岐した電路の中途部、より詳細には、第一内部連結点Ｐ１１と第四内部連結点Ｐ１４との間に設けられる。
【００４６】
第二スイッチ５２は、第一内部連結点Ｐ１１で中央に分岐した電路の中途部、より詳細には、第一内部連結点Ｐ１１と第五内部連結点Ｐ１５との間に設けられる。
【００４７】
第三スイッチ５３は、第一内部連結点Ｐ１１で上側に分岐した電路の中途部、より詳細には、第一内部連結点Ｐ１１と第七内部連結点Ｐ１７との間に設けられる。
【００４８】
第四スイッチ５４は、第二内部連結点Ｐ１２で左側に分岐した電路の中途部、より詳細には、第二内部連結点Ｐ１２と第八内部連結点Ｐ１８との間に設けられる。
【００４９】
第五スイッチ５５は、第二内部連結点Ｐ１２で中央に分岐した電路の中途部、より詳細には、第二内部連結点Ｐ１２と第五内部連結点Ｐ１５との間に設けられる。
【００５０】
第六スイッチ５６は、第二内部連結点Ｐ１２で右側に分岐した電路の中途部、より詳細には、第二内部連結点Ｐ１２と第七内部連結点Ｐ１７との間に設けられる。
【００５１】
第七スイッチ５７は、第三内部連結点Ｐ１３で下側に分岐した電路の中途部、より詳細には、第三内部連結点Ｐ１３と第六内部連結点Ｐ１６との間に設けられる。
【００５２】
第八スイッチ５８は、第三内部連結点Ｐ１３で中央に分岐した電路の中途部、より詳細には、第三内部連結点Ｐ１３と第五内部連結点Ｐ１５との間に設けられる。
【００５３】
第九スイッチ５９は、第三内部連結点Ｐ１３で上側に分岐した電路の中途部、より詳細には、第三内部連結点Ｐ１３と第八内部連結点Ｐ１８との間に設けられる。
【００５４】
図１に示すように、ＥＭＳ６０は、電力供給システム１の動作を管理するエネルギーマネジメントシステム（Ｅｎｅｒｇｙ  Ｍａｎａｇｅｍｅｎｔ  Ｓｙｓｔｅｍ）である。ＥＭＳ６０は、ＣＰＵ等の演算処理部、ＲＡＭやＲＯＭ等の記憶部や、タッチパネル等の入出力部等を具備する。ＥＭＳ６０の記憶部には、電力供給システム１の動作を制御する際に用いられる種々の情報やプログラム等が予め記憶される。ＥＭＳ６０の演算処理部は、前記プログラムを実行して前記種々の情報を用いた所定の演算処理等を行うことで、電力供給システム１を動作させることができる。
【００５５】
ＥＭＳ６０は、ハイブリッドパワコン１３・２３・３３と電気的に接続される。ＥＭＳ６０は、ハイブリッドパワコン１３・２３・３３から所定の信号が入力可能に構成され、蓄電池１２・２２・３２の蓄電池残量（蓄電池１２・２２・３２の最大容量に対する蓄電量）を取得することができる。
【００５６】
また、ＥＭＳ６０は、切替装置５０と電気的に接続される。ＥＭＳ６０は、所定の信号を切替装置５０に出力可能に構成され、切替装置５０の動作を制御する（第一スイッチ５１から第九スイッチ５９までの開閉を行う）ことができる。
【００５７】
次に、図３及び図４を用いて、電力供給システム１による電力の供給（融通）態様について具体的に説明する。なお、第一実施形態において、蓄電池１２・２２・３２の最大充電量はそれぞれ２０００Ｗであり、最大放電量はそれぞれ２０００Ｗであるものとする。最大充電量とは、蓄電池１２・２２・３２がそれぞれ単位時間当たりに充電可能な最大の電力量を指す。最大放電量とは、蓄電池１２・２２・３２がそれぞれ単位時間当たりに放電可能な最大の電力量を指す。また、負荷Ｈの消費電力は３０００Ｗであり、太陽光発電部１１・２１の発電電力はそれぞれ２０００Ｗであり、太陽光発電部３１の発電電力は２５００Ｗであるものとする。また、図３及び図４において、切替装置５０は、初期状態（非切替時である）ものとする。
【００５８】
また、図３（並びに後述する図７、図８、図１３及び図１６）においては、切替装置５０内の電路のうち、第一センサ４１から第三センサ４３までと、ハイブリッドパワコン１３・２３・３３とを１対１で接続している部分（センサとハイブリッドパワコンとの間で信号を入出力可能な部分）を太い実線で示すと共に、他の部分を点線で示している。また、図４（並びに後述する図９、図１０、図１４及び図１７）に記載される白塗りの矢印は、電力の流通方向を示している。また、前記白塗りの矢印に付された数値は、前記矢印における電力量を示している。また、図４等においては、切替装置５０及びＥＭＳ６０の図示を省略している。
【００５９】
図３に示すように、切替装置５０の初期状態においては、第一スイッチ５１、第五スイッチ５５及び第七スイッチ５７は、閉状態となる。また、その他のスイッチ（第二スイッチ５２、第三スイッチ５３、第四スイッチ５４、第六スイッチ５６、第八スイッチ５８及び第九スイッチ５９）は、開状態となる。こうして、切替装置５０の初期状態においては、第一内部連結点Ｐ１１及び第四内部連結点Ｐ１４を介して第一センサ４１とハイブリッドパワコン１３とが接続される。また、第二内部連結点Ｐ１２及び第五内部連結点Ｐ１５を介して第二センサ４２とハイブリッドパワコン２３とが接続される。また、第三内部連結点Ｐ１３及び第六内部連結点Ｐ１６を介して第三センサ４３とハイブリッドパワコン３３とが接続される。
【００６０】
切替装置５０が初期状態である場合、図４に示すように、太陽光発電部１１の発電電力（２０００Ｗ）は、ハイブリッドパワコン１３を介して負荷Ｈに供給される。このとき、第一センサ４１は、負荷Ｈの消費電力（３０００Ｗ）に対して不足する分の電力（１０００Ｗ）を検出する。ハイブリッドパワコン１３は、第一センサ４１の検出結果に基づいて、蓄電池１２から電力（１０００Ｗ）を放電させ、当該電力を負荷Ｈに供給する。このようにして、第一蓄電システム１０から負荷Ｈに電力（３０００Ｗ）が供給される。
【００６１】
このように第一蓄電システム１０によって負荷Ｈの消費電力が賄われるので、第二センサ４２の検出値は０Ｗとなる。よって、ハイブリッドパワコン２３は、太陽光発電部２１の発電電力（２０００Ｗ）を蓄電池２２に充電させる。
【００６２】
また、第一蓄電システム１０によって負荷Ｈの消費電力が賄われるので、第三センサ４３の検出値は０Ｗとなる。よって、ハイブリッドパワコン３３は、太陽光発電部３１の発電電力（２５００Ｗ）の一部を最大充電量（２０００Ｗ）で蓄電池３２に充電する。残りの電力（５００Ｗ）は系統電源Ｋへと逆潮流される。
【００６３】
このように、切替装置５０の初期状態においては、まず第一蓄電システム１０から負荷Ｈへの電力供給量が確定され、負荷Ｈの消費電力が賄えない場合に、第二蓄電システム２０、第三蓄電システム３０の順番に負荷Ｈへの電力供給量が確定されていく。このため、負荷Ｈへの電力供給量は、第一蓄電システム１０、第二蓄電システム２０、第三蓄電システム３０の順番に多くなり易い。このため、下流側（負荷Ｈ側）の蓄電池ほど、放電状態となり易く、充電状態（各太陽光発電部からの電力を充電している状態）となり難い。また、上流側（系統電源Ｋ側）の蓄電池ほど、充電状態となり易く、放電状態となり難い。したがって、下流側の蓄電池ほど、蓄電池残量が少なくなり、上流側の蓄電池ほど、蓄電池残量が多くなる傾向にある。
【００６４】
そこで、電力供給システム１においては、ＥＭＳ６０によって蓄電池１２・２２・３２の蓄電池残量の偏りを抑制するための処理が行われる。
【００６５】
以下では、このようなＥＭＳ６０による蓄電池残量の偏りを抑制するための処理について説明する。
【００６６】
ＥＭＳ６０は、まず事前設定の処理を行い、その後に切替装置５０の動作の処理を行う。事前設定の処理は、常時行われる。また、切替装置５０の動作の処理は、常時行われてもよく、又は所定の時刻に行われるようにしてもよい。
【００６７】
事前設定の処理においては、ＥＭＳ６０は、充電優先順位の設定を行う。また、切替装置５０の動作の処理においては、ＥＭＳ６０は、充電優先順位に基づいて、切替装置５０を具体的に動作させる。なお、充電優先順位とは、太陽光発電部１１・２１・３１の余剰電力を、蓄電池１２・２２・３２のうち、どの蓄電池を優先的に充電させるのかを決定する判断基準となるものである。
【００６８】
まず以下では、図５を用いて、ＥＭＳ６０による事前設定の処理について説明する。
【００６９】
ステップＳ１０１において、ＥＭＳ６０は、一定時刻毎に、各蓄電池（蓄電池１２・２２・３２）の蓄電池残量を取得する。ＥＭＳ６０は、ステップＳ１０１の処理を実行した後、ステップＳ１０２の処理を実行する。
【００７０】
ステップＳ１０２において、ＥＭＳ６０は、ステップＳ１０１で取得した蓄電池残量に基づいて、各蓄電池（蓄電池１２・２２・３２）の充電優先順位を設定する。具体的には、ＥＭＳ６０は、各蓄電池（蓄電池１２・２２・３２）に対して、蓄電池残量の少ない順番に高い充電優先順位（第一位、第二位、第三位）を設定する。
【００７１】
こうして、ＥＭＳ６０は、ステップＳ１０２の処理を実行した後、事前設定の処理を終了する。
【００７２】
次に、図６から図８を用いて、ＥＭＳ６０による切替装置５０の動作の処理について説明する。切替装置５０の動作の処理は、充電優先順位に応じて、各センサ（第一センサ４１、第二センサ４２、第三センサ４３）と各ハイブリッドパワコン（ハイブリッドパワコン１３・２３・３３）との接続関係（第一センサ４１から第三センサ４３までに対してどのハイブリッドパワコンを接続させるか）を変更する処理である。
【００７３】
図６に示すように、ステップＳ１１１において、ＥＭＳ６０は、最も上流側のセンサである第三センサ４３が売電（系統電源Ｋへと逆潮流される電力）を検知しているか否かを判定する。ＥＭＳ６０は、第三センサ４３が売電を検知していると判定した場合（ステップＳ１１１で「ＹＥＳ」）、ステップＳ１１２に移行する。一方、ＥＭＳ６０は、第三センサ４３が売電を検知していないと判定した場合（ステップＳ１１１で「ＮＯ」）、ステップＳ１１６に移行する。
【００７４】
ステップＳ１１２において、ＥＭＳ６０は、充電優先順位の第一位が、最も下流側の蓄電池である蓄電池１２であるか否かを判定する。ＥＭＳ６０は、充電優先順位の第一位が蓄電池１２であると判定した場合（ステップＳ１１２で「ＹＥＳ」）、ステップＳ１１３に移行する。一方、ＥＭＳ６０は、充電優先順位の第一位が蓄電池１２でないと判定した場合（ステップＳ１１２で「ＮＯ」）、ステップＳ１１４に移行する。
【００７５】
ステップＳ１１３において、ＥＭＳ６０は、切替装置５０を図７に示す第一切替状態とする。具体的には、ＥＭＳ６０は、第三スイッチ５３、第五スイッチ５５及び第九スイッチ５９をＯＮ（閉状態）にすると共に、その他のスイッチ（第一スイッチ５１、第二スイッチ５２、第四スイッチ５４、第六スイッチ５６、第七スイッチ５７及び第八スイッチ５８）をＯＦＦ（開状態）とする。これにより、切替装置５０は、第一センサ４１とハイブリッドパワコン３３とを接続させ、第二センサ４２とハイブリッドパワコン２３とを接続させ、第三センサ４３とハイブリッドパワコン１３とを接続させる。ＥＭＳ６０は、当該ステップＳ１１３の処理を行った後、ステップＳ１１５に移行する。
【００７６】
一方、ステップＳ１１４において、ＥＭＳ６０は、切替装置５０を図８に示す第二切替状態とする。具体的には、ＥＭＳ６０は、第一スイッチ５１、第六スイッチ５６及び第八スイッチ５８をＯＮ（閉状態）にすると共に、その他のスイッチ（第二スイッチ５２、第三スイッチ５３、第四スイッチ５４、第五スイッチ５５、第七スイッチ５７及び第九スイッチ５９）をＯＦＦ（開状態）とする。これにより、切替装置５０は、第一センサ４１とハイブリッドパワコン１３とを接続させ、第二センサ４２とハイブリッドパワコン３３とを接続させ、第三センサ４３とハイブリッドパワコン２３とを接続させる。
【００７７】
このように、ステップＳ１１３及びＳ１１４においては、充電優先順位が第一位の蓄電池のハイブリッドパワコンと、最も上流側のセンサとが接続される。その際、当該（第一位の蓄電池の）ハイブリッドパワコンと元々接続されていたセンサは、最も上流側のセンサと元々接続されていたハイブリッドパワコンと接続される。
【００７８】
なお、充電優先順位の第一位が蓄電池１２でない場合（ステップＳ１１２で「ＮＯ」）、蓄電池２２又は蓄電池３２が充電優先順位第一位であると考えられる。しかしながら、第三センサ４３が売電を検知している（ステップＳ１１１で「ＹＥＳ」）ということは、太陽光発電部３１の発電電力が余剰しており、蓄電池３２には充電できない可能性が高いと考えられる。よって、ステップＳ１１４では、蓄電池２２が充電優先順位第一位であるとみなし（蓄電池２２又は蓄電池３２のどちらが充電優先順位第一位であるかの判断を省略し）、蓄電池２２のハイブリッドパワコン２３を第三センサ４３と接続する。ＥＭＳ６０は、当該ステップＳ１１３の処理を行った後、ステップＳ１１５に移行する。
【００７９】
ステップＳ１１５において、ＥＭＳ６０は、ハイブリッドパワコン３３を介して蓄電池３２を放電停止（放電不可な状態）とする。ＥＭＳ６０は、当該ステップＳ１１５の処理を行った後、切替装置５０の動作の処理を終了する。
【００８０】
一方、ステップＳ１１６において、ＥＭＳ６０は、最も上流側のセンサである第三センサ４３が買電（系統電源Ｋから購入される電力）を検知しているか否かを判定する。ＥＭＳ６０は、第三センサ４３が買電を検知していると判定した場合（ステップＳ１１６で「ＹＥＳ」）、ステップＳ１１７に移行する。一方、ＥＭＳ６０は、第三センサ４３が買電を検知していないと判定した場合（ステップＳ１１６で「ＮＯ」）、切替装置５０の動作の処理を終了する。
【００８１】
ステップＳ１１７において、ＥＭＳ６０は、第一スイッチ５１、第五スイッチ５５及び第七スイッチ５７をＯＮ（閉状態）にすると共に、その他のスイッチ（第二スイッチ５２、第三スイッチ５３、第四スイッチ５４、第六スイッチ５６、第八スイッチ５８及び第九スイッチ５９）をＯＦＦ（開状態）とする。すなわち、ＥＭＳ６０は、切替装置５０を初期状態（図３参照）に戻す。ＥＭＳ６０は、当該ステップＳ１１７の処理を行った後、ステップＳ１１８に移行する。
【００８２】
ステップＳ１１８において、ＥＭＳ６０は、ハイブリッドパワコン３３を介して蓄電池３２の放電停止を解除する。ＥＭＳ６０は、当該ステップＳ１１８の処理を行った後、切替装置５０の動作の処理を終了する。
【００８３】
このように、ＥＭＳ６０は、第三センサ４３が売電（系統電源Ｋへと逆潮流される電力）を検知した場合（ステップＳ１１１で「ＹＥＳ」）、切替装置５０を第一切替状態（図７参照）又は第二切替状態（図８参照）とする。一方、ＥＭＳ６０は、第三センサ４３が買電（系統電源Ｋから購入される電力）を検知した場合（ステップＳ１１６で「ＹＥＳ」）、切替装置５０を初期状態（図３参照）に戻す。
【００８４】
次に、図９を用いて、ステップＳ１１３において切替装置５０を第一切替状態（図７参照）とした場合の、電力供給システム１による電力の供給（融通）態様について具体的に説明する。つまり、図９は、最も下流側の蓄電池１２が充電優先順位第一位である（すなわち、蓄電池１２・２２・３２のうち、蓄電池１２の蓄電池残量が最も少ない）場合を示している。
【００８５】
図９において、第一センサ４１とハイブリッドパワコン３３とが接続され、第二センサ４２とハイブリッドパワコン２３とが接続され、第三センサ４３とハイブリッドパワコン１３とが接続されている（ステップＳ１１３参照）。また、蓄電池３２は放電停止とされている（ステップＳ１１５参照）。
【００８６】
各蓄電システムから負荷Ｈへの電力供給量は、下流側のセンサに接続された蓄電システムから順に決定される。すなわち、図９に示す例において、各蓄電システムから負荷Ｈへの電力供給量は、第一センサ４１に接続された第三蓄電システム３０、第二センサ４２に接続された第二蓄電システム２０、第三センサ４３に接続された第一蓄電システム１０の順に決定される。
【００８７】
まず、太陽光発電部３１の発電電力（２５００Ｗ）は、ハイブリッドパワコン３３を介して電力経路Ｌへと出力される。また、放電停止とされた蓄電池３２からは放電されない。
【００８８】
また、図９に示すように、太陽光発電部２１の発電電力（２０００Ｗ）は、ハイブリッドパワコン２３を介して電力経路Ｌへと出力され、負荷Ｈに供給される。このとき、第二センサ４２の検出値は、負荷Ｈの消費電力（３０００Ｗ）から、太陽光発電部２１から負荷Ｈに供給される電力（２０００Ｗ）を引いた値、すなわち１０００Ｗとなる。ハイブリッドパワコン２３は、第二センサ４２の検出値に基づいて、蓄電池２２から電力（１０００Ｗ）を放電させ、当該電力を負荷Ｈに供給する。このように、第二蓄電システム２０から電力（３０００Ｗ）が負荷Ｈに供給される。
【００８９】
このようにして、第二蓄電システム２０からの電力によって、負荷Ｈの消費電力（３０００Ｗ）が賄われる。このため、電力経路Ｌへと出力されていた太陽光発電部３１の発電電力（２５００Ｗ）は、系統電源Ｋへと逆潮流される。
【００９０】
第三センサ４３は、この逆潮流される電力（２５００Ｗ）を検出する。ハイブリッドパワコン１３は、第三センサ４３の検出結果に基づいて、負荷Ｈの消費電力が賄われていると判断し、太陽光発電部１１の発電電力（２０００Ｗ）を、蓄電池１２に充電させる。
【００９１】
このように、最も下流側の蓄電池１２が充電優先順位第一位である（すなわち、蓄電池１２・２２・３２のうち、蓄電池１２の蓄電池残量が最も少ない）場合、切替装置５０を第一切替状態（図７参照）に切り替えることで、当該蓄電池１２を放電状態（図４参照）から充電状態（図９参照）とすることができる。したがって、蓄電池残量の少ない蓄電池１２の蓄電池残量を増やすことができ、ひいては蓄電池１２・２２・３２の蓄電池残量の偏りを緩和することができる。
【００９２】
次に、図１０を用いて、ステップＳ１１４において切替装置５０を第二切替状態（図８参照）とした場合の、電力供給システム１による電力の供給（融通）態様について具体的に説明する。つまり、図１０は、蓄電池２２が充電優先順位第一位である（すなわち、蓄電池１２・２２・３２のうち、蓄電池２２の蓄電池残量が最も少ない）場合を示している。
【００９３】
図１０において、第一センサ４１とハイブリッドパワコン１３とが接続され、第二センサ４２とハイブリッドパワコン３３とが接続され、第三センサ４３とハイブリッドパワコン２３とが接続されている（ステップＳ１１４参照）。また、蓄電池３２は放電停止とされている（ステップＳ１１５参照）。
【００９４】
したがって、各蓄電システムから負荷Ｈへの電力供給量は、第一センサ４１に接続された第一蓄電システム１０、第二センサ４２に接続された第三蓄電システム３０、第三センサ４３に接続された第二蓄電システム２０の順に決定される。
【００９５】
図１０に示すように、太陽光発電部１１の発電電力（２０００Ｗ）は、ハイブリッドパワコン１３を介して負荷Ｈに供給される。このとき、第一センサ４１は、負荷Ｈの消費電力（３０００Ｗ）に対して不足する分の電力（１０００Ｗ）を検出する。ハイブリッドパワコン１３は、第一センサ４１の検出結果に基づいて、蓄電池１２から電力（１０００Ｗ）を放電させ、当該電力を負荷Ｈに供給する。このようにして、第一蓄電システム１０から負荷Ｈに電力（３０００Ｗ）が供給される。
【００９６】
また、第一蓄電システム１０によって負荷Ｈの消費電力が賄われるので、第二センサ４２の検出値は０Ｗとなる。よって、ハイブリッドパワコン３３は、第二センサ４２の検出結果に基づいて、太陽光発電部３１の発電電力（２５００Ｗ）の一部を最大充電量（２０００Ｗ）で蓄電池３２に充電する。残りの電力（５００Ｗ）は系統電源Ｋへと逆潮流される。
【００９７】
第三センサ４３は、この逆潮流される電力（５００Ｗ）を検出する。ハイブリッドパワコン２３は、第三センサ４３の検出結果に基づいて、太陽光発電部２１から蓄電池２２への充電量を徐々に増加させ、最終的に太陽光発電部２１の発電電力（２０００Ｗ）を蓄電池２２に充電させる。
【００９８】
このように、蓄電池２２が充電優先順位第一位である（すなわち、蓄電池１２・２２・３２のうち、蓄電池２２の蓄電池残量が最も少ない）場合、蓄電池２２を充電状態（図１０参照）とすることができる。したがって、蓄電池２２の蓄電池残量を増やすことができ、ひいては蓄電池１２・２２・３２の蓄電池残量の偏りを緩和することができる。
【００９９】
以上のように、電力供給システム１において売電が行われている場合（ステップＳ１１１で「ＹＥＳ」）、蓄電池残量が少なくなり易い下流側の蓄電池（蓄電池１２又は蓄電池２２）に、太陽光発電部１１・２１・３１の余剰電力が充電され易くすることができる。
【０１００】
また、最も上流側の蓄電池３２を放電停止とすること（ステップＳ１１５）で、蓄電池３２から放電された電力が、系統電源Ｋへと逆潮流される電力に用いられるのを防ぐことができる。
【０１０１】
また、電力供給システム１において買電が行われている場合（ステップＳ１１６で「ＹＥＳ」）、太陽光発電部１１・２１・３１の余剰電力がないと考えられるので、切替装置５０を初期状態（図３参照）に戻すことで、通常運転が可能となる。
【０１０２】
以上の如く、本実施形態に係る電力供給システム１は、系統電源Ｋから負荷Ｈに至る電力経路Ｌ（配電線）上の互いに異なる箇所に複数設けられ、当該設けられた箇所を流通する電力を検出可能な第一センサ４１、第二センサ４２及び第三センサ４３（センサ）と、発電可能な太陽光発電部１１・２１・３１（発電部）、及び前記太陽光発電部１１・２１・３１によって発電された電力を充電可能であると共に、前記第一センサ４１、第二センサ４２及び第三センサ４３の検出値に基づいて負荷追従運転を行うことで前記負荷Ｈへ電力を放電可能な蓄電装置（蓄電池１２・２２・３２及びハイブリッドパワコン１３・２３・３３）を具備し、前記電力経路Ｌに複数接続された第一蓄電システム１０、第二蓄電システム２０及び第三蓄電システム３０（電力供給部）と、前記ハイブリッドパワコン１３・２３・３３と前記第一センサ４１、第二センサ４２及び第三センサ４３とを１対１で互いに接続させる切替装置５０と、前記蓄電池１２・２２・３２の蓄電池残量を取得し、当該取得した蓄電池残量の少ない順番に前記蓄電池１２・２２・３２の充電の優先順位（優先順位）を設定し、前記優先順位に基づいて前記切替装置５０を動作させて、前記ハイブリッドパワコン１３・２３・３３と前記第一センサ４１、第二センサ４２及び第三センサ４３との接続を切り替える切替制御を行うＥＭＳ６０（制御部）と、を具備するものである。
このように構成することにより、太陽光発電部１１・２１・３１の余剰電力を蓄電池残量の少ない蓄電池に充電し易くすることができ、これにより蓄電池１２・２２・３２の蓄電池残量の偏りを緩和することができる。
【０１０３】
また、前記ＥＭＳ６０は、前記優先順位の最も上位の前記蓄電装置（ハイブリッドパワコン１３・２３）が、最も上流側に配置される前記第三センサ４３と接続されるように、前記切替制御を行うものである。
このように構成することにより、太陽光発電部１１・２１・３１の余剰電力を、最も下流側に配置される蓄電池に充電し易くすることができる。
【０１０４】
また、前記ＥＭＳ６０は、最も上流側に配置される前記第三センサ４３によって前記系統電源Ｋへと逆潮流される電力を検出した場合に、前記切替制御を行うものである。
このように構成することにより、太陽光発電部１１・２１・３１の余剰電力があることを確認したうえで、切替制御を行うことができる。
【０１０５】
また、前記ＥＭＳ６０は、前記切替制御を行った場合、最も上流側に配置された前記蓄電装置（蓄電池３２）を放電不可とするものである。
このように構成することにより、最も上流側に配置された蓄電池３２から放電された電力が系統電源Ｋへと逆潮流されるのを防ぐことができる。
【０１０６】
また、前記切替装置５０は、初期状態において、前記ハイブリッドパワコン１３・２３・３３と当該ハイブリッドパワコン１３・２３・３３のすぐ上流側の前記第一センサ４１、第二センサ４２及び第三センサ４３とを接続しており、前記ＥＭＳ６０は、最も上流側に配置される前記第三センサ４３によって前記系統電源Ｋから購入される電力を検出した場合に、前記切替装置５０を前記切替制御がなされた切替状態から前記初期状態に戻すものである。
このように構成することにより、太陽光発電部１１・２１・３１の余剰電力がないにもかかわらず、切替装置５０が切替状態のままとなるのを防ぐことができる。
【０１０７】
また、前記切替装置５０は、内部に前記蓄電装置（ハイブリッドパワコン１３・２３・３３）及び前記第一センサ４１、第二センサ４２及び第三センサ４３と接続された電路を有し、当該電路を開閉することで、前記蓄電装置（ハイブリッドパワコン１３・２３・３３）と前記第一センサ４１、第二センサ４２及び第三センサ４３とを１対１で互いに接続させるものである。
このように構成することにより、簡単にハイブリッドパワコン１３・２３・３３と第一センサ４１、第二センサ４２及び第三センサ４３とを接続することができる。
【０１０８】
なお、本実施形態に係る第一蓄電システム１０、第二蓄電システム２０及び第三蓄電システム３０は、電力供給部の実施の一形態である。
また、本実施形態に係る太陽光発電部１１・２１・３１は、発電部の実施の一形態である。
また、本実施形態に係る蓄電池１２・２２・３２及びハイブリッドパワコン１３・２３・３３は、蓄電装置の実施の一形態である。
また、本実施形態に係る第一センサ４１、第二センサ４２及び第三センサ４３は、センサの実施の一形態である。
また、本実施形態に係るＥＭＳ６０は、制御部の実施の一形態である。
【０１０９】
以上、本発明の第一実施形態を説明したが、本発明は上記構成に限定されるものではなく、特許請求の範囲に記載された発明の範囲内で種々の変更が可能である。
【０１１０】
例えば、電力供給システム１は、集合住宅に設けられるものとしたが、これに限定されるものではなく、例えば、オフィス等に設けられるものであってもよい。
【０１１１】
また、第一蓄電システム１０、第二蓄電システム２０及び第三蓄電システム３０は、所定の燃料を用いて発電する発電装置（例えば、燃料電池）等を具備する構成であってもよい。
【０１１２】
また、発電部は、太陽光を利用して発電する太陽光発電部１１・２１・３１であるものとしたが、燃料電池であってもよく、また他の自然エネルギー（例えば、水力や風力）を利用して発電するものであってもよい。
【０１１３】
また、本実施形態において蓄電システムの台数は、３台であるものとしたが、２台以上の任意の台数とすることができる。
【０１１４】
また、本実施形態においては、充電優先順位の第一位が蓄電池１２でない場合（ステップＳ１１２で「ＮＯ」）、蓄電池２２のハイブリッドパワコン２３を第三センサ４３と接続するものとしたが（ステップＳ１１４）、蓄電システムが４台以上設けられる場合には、さらに、どの蓄電池が充電優先順位第一位であるかを判定するステップを追加して、充電優先順位第一位であると判定された蓄電池のハイブリッドパワコンを、最も上流側のセンサと接続することができる。
【０１１５】
次に、図１１から図１７までを用いて、第二実施形態に係る電力供給システム１０１について説明する。
【０１１６】
図１１に示すように、第二実施形態に係る電力供給システム１０１は、蓄電システムの台数が３台でなく２台である点が第一実施形態に係る電力供給システム１と異なる点である。具体的には、第二実施形態に係る電力供給システム１０１が、第一実施形態に係る電力供給システム１と異なる主な点は、第三蓄電システム３０及び第三センサ４３を具備しておらず、かつ、切替装置５０及びＥＭＳ６０に替えて切替装置１５０及びＥＭＳ１６０を具備する点である。よって以下では、第二実施形態に係る電力供給システム１０１のうち第一実施形態に係る電力供給システム１と同一の構成については、同一の符号を付して説明を省略する。
【０１１７】
図１２に示すように、切替装置１５０は、その内部に各ハイブリッドパワコン（ハイブリッドパワコン１３・２３）と各センサ（第一センサ４１及び第二センサ４２）とを接続させるための電路を有する。当該電路は、その中途部で適宜分岐して、ハイブリッドパワコン１３・２３と、第一センサ４１及び第二センサ４２とを互いに接続可能に構成される。電路には、複数の内部連結点（第一内部連結点Ｐ１１１から第四内部連結点Ｐ１１４まで）が設けられる。
【０１１８】
第一内部連結点Ｐ１１１は、電路の最も第一センサ４１に近い側に設けられる。電路は、第一内部連結点Ｐ１１１で各ハイブリッドパワコン（ハイブリッドパワコン１３・２３）に向けて図面の左右２つに分岐する。
【０１１９】
第二内部連結点Ｐ１１２は、電路の最も第二センサ４２に近い側に設けられる。電路は、第二内部連結点Ｐ１１２で各ハイブリッドパワコン（ハイブリッドパワコン１３・２３）に向けて図面の左右２つに分岐する。
【０１２０】
第三内部連結点Ｐ１１３は、電路の最もハイブリッドパワコン１３に近い側に設けられる。第三内部連結点Ｐ１１３には、第一内部連結点Ｐ１１１で右側に分岐した電路及び第二内部連結点Ｐ１１２で左側に分岐した電路が接続される。
【０１２１】
第四内部連結点Ｐ１１４は、電路の最もハイブリッドパワコン２３に近い側に設けられる。第四内部連結点Ｐ１４には、第一内部連結点Ｐ１１１で左側に分岐した電路及び第二内部連結点Ｐ１１２で右側に分岐した電路が接続される。
【０１２２】
このような電路を有する切替装置１５０は、第一スイッチ１５１から第四スイッチ１５４までを具備する。第一スイッチ１５１から第四スイッチ１５４までは、例えば、機械式リレーによって構成される。
【０１２３】
第一スイッチ１５１は、第一内部連結点Ｐ１１１で右側に分岐した電路の中途部、より詳細には、第一内部連結点Ｐ１１１と第三内部連結点Ｐ１１３との間に設けられる。
【０１２４】
第二スイッチ１５２は、第一内部連結点Ｐ１１１で左側に分岐した電路の中途部、より詳細には、第一内部連結点Ｐ１１１と第四内部連結点Ｐ１１４との間に設けられる。
【０１２５】
第三スイッチ１５３は、第二内部連結点Ｐ１１２で右側に分岐した電路の中途部、より詳細には、第二内部連結点Ｐ１１２と第四内部連結点Ｐ１１４との間に設けられる。
【０１２６】
第四スイッチ１５４は、第二内部連結点Ｐ１１２で左側に分岐した電路の中途部、より詳細には、第二内部連結点Ｐ１１２と第三内部連結点Ｐ１１３との間に設けられる。
【０１２７】
図１１に示すＥＭＳ１６０は、第一実施形態に係るＥＭＳ６０と略同様に構成される。ＥＭＳ１６０は、所定の信号を切替装置１５０に出力可能に構成され、切替装置１５０の動作を制御する（第一スイッチ１５１から第四スイッチ１５４までの開閉を行う）ことができる。
【０１２８】
次に、図１３及び図１４を用いて、電力供給システム１０１による電力の供給（融通）態様について具体的に説明する。なお、第二実施形態において、蓄電池１２・２２の最大充電量はそれぞれ２０００Ｗであり、最大放電量はそれぞれ２０００Ｗであるものとする。また、負荷Ｈの消費電力は５０００Ｗであり、太陽光発電部１１・２１の発電電力はそれぞれ３０００Ｗであるものとする。また、図１３及び図１４において、切替装置１５０は、初期状態（非切替時である）ものとする。
【０１２９】
図１３に示すように、切替装置１５０の初期状態においては、第一スイッチ１５１及び第三スイッチ１５３は、閉状態となる。また、その他のスイッチ（第二スイッチ１５２及び第四スイッチ１５４）は、開状態となる。こうして、切替装置５０の初期状態においては、第一内部連結点Ｐ１１１及び第三内部連結点Ｐ１１３を介して第一センサ４１とハイブリッドパワコン１３とが接続される。また、第二内部連結点Ｐ１１２及び第四内部連結点Ｐ１１４を介して第二センサ４２とハイブリッドパワコン２３とが接続される。
【０１３０】
切替装置１５０が初期状態である場合、図１４に示すように、太陽光発電部１１の発電電力（３０００Ｗ）は、ハイブリッドパワコン１３を介して負荷Ｈに供給される。このとき、第一センサ４１は、負荷Ｈの消費電力（５０００Ｗ）に対して不足する分の電力（２０００Ｗ）を検出する。ハイブリッドパワコン１３は、第一センサ４１の検出結果に基づいて、蓄電池１２から最大放電量（２０００Ｗ）で電力を放電させ、当該電力を負荷Ｈに供給する。このようにして、第一蓄電システム１０から負荷Ｈに電力（５０００Ｗ）が供給される。
【０１３１】
このように第一蓄電システム１０によって負荷Ｈの消費電力が賄われるので、第二センサ４２の検出値は０Ｗとなる。よって、ハイブリッドパワコン２３は、太陽光発電部２１の発電電力（３０００Ｗ）の一部を最大充電量（２０００Ｗ）で蓄電池３２に充電する。残りの電力（１０００Ｗ）は系統電源Ｋへと逆潮流される。
【０１３２】
このように、切替装置１５０の初期状態においては、下流側の蓄電池１２ほど、放電状態となり易く、充電状態となり難い。また、上流側の蓄電池２２ほど、充電状態となり易く、放電状態となり難い。したがって、下流側の蓄電池１２の蓄電池残量が少なくなり、上流側の蓄電池２２の蓄電池残量が多くなる傾向にある。
【０１３３】
以下では、第二実施形態に係るＥＭＳ１６０による蓄電池残量の偏りを抑制するための処理について説明する。
【０１３４】
ＥＭＳ１６０は、まず第一実施形態と同様に事前設定の処理を行って放電優先順位を設定する（図５参照）。その後、ＥＭＳ１６０は、切替装置１５０の動作の処理を行う。
【０１３５】
図１５に示すように、ステップＳ２１１において、ＥＭＳ１６０は、最も上流側のセンサである第二センサ４２が売電（系統電源Ｋへと逆潮流される電力）を検知しているか否かを判定する。ＥＭＳ１６０は、第二センサ４２が売電を検知していると判定した場合（ステップＳ２１１で「ＹＥＳ」）、ステップＳ２１２に移行する。一方、ＥＭＳ１６０は、第二センサ４２が売電を検知していないと判定した場合（ステップＳ２１１で「ＮＯ」）、ステップＳ２１４に移行する。
【０１３６】
なお、第二センサ４２が売電を検知している場合（ステップＳ２１１で「ＹＥＳ」）とは、太陽光発電部２１の発電電力が余剰していることを示している、この場合、蓄電池２２の蓄電池残量は比較的多いと考えられるため、充電優先順位第一位の蓄電池から蓄電池２２は除外される。よって、第二センサ４２が売電を検知している場合（ステップＳ２１１で「ＹＥＳ」）とは、充電優先順位の第一位が、蓄電池２２を除く蓄電池、すなわち蓄電池１２である場合を示している。
【０１３７】
ステップＳ２１２において、ＥＭＳ１６０は、切替装置１５０を図１６に示す第三切替状態とする。具体的には、ＥＭＳ１６０は、第二スイッチ１５２及び第四スイッチ１５４をＯＮ（閉状態）にすると共に、その他のスイッチ（第一スイッチ１５１及び第三スイッチ１５３）をＯＦＦ（開状態）とする。これにより、切替装置１５０は、第一センサ４１とハイブリッドパワコン２３とを接続させ、第二センサ４２とハイブリッドパワコン１３とを接続させる。
【０１３８】
このように、ステップＳ２１２においては、充電優先順位が第一位の蓄電池のハイブリッドパワコンと、最も上流側のセンサとが接続される。その際、当該（第一位の蓄電池の）ハイブリッドパワコンと元々接続されていたセンサは、最も上流側のセンサと元々接続されていたハイブリッドパワコンと接続される。ＥＭＳ１６０は、当該ステップＳ２１２の処理を行った後、ステップＳ２１３に移行する。
【０１３９】
ステップＳ２１３において、ＥＭＳ１６０は、ハイブリッドパワコン２３を介して蓄電池２２を放電停止（放電不可な状態）とする。ＥＭＳ１６０は、当該ステップＳ２１３の処理を行った後、切替装置１５０の動作の処理を終了する。
【０１４０】
一方、ステップＳ２１４において、ＥＭＳ１６０は、最も上流側のセンサである第二センサ４２が買電（系統電源Ｋから購入される電力）を検知しているか否かを判定する。ＥＭＳ１６０は、第二センサ４２が買電を検知していると判定した場合（ステップＳ２１４で「ＹＥＳ」）、ステップＳ２１５に移行する。一方、ＥＭＳ６０は、第二センサ４２が買電を検知していないと判定した場合（ステップＳ２１４で「ＮＯ」）、切替装置１５０の動作の処理を終了する。
【０１４１】
ステップＳ２１５において、ＥＭＳ１６０は、第一スイッチ１５１及び第三スイッチ１５３をＯＮ（閉状態）にすると共に、その他のスイッチ（第二スイッチ１５２及び第四スイッチ１５４）をＯＦＦ（開状態）とする。すなわち、ＥＭＳ１６０は、切替装置１５０を初期状態（図１３参照）に戻す。ＥＭＳ１６０は、当該ステップＳ２１５の処理を行った後、ステップＳ２１６に移行する。
【０１４２】
ステップＳ２１６において、ＥＭＳ１６０は、ハイブリッドパワコン２３を介して蓄電池２２の放電停止を解除する。ＥＭＳ１６０は、当該ステップＳ２１６の処理を行った後、切替装置１５０の動作の処理を終了する。
【０１４３】
このように、ＥＭＳ１６０は、第二センサ４２が売電（系統電源Ｋへと逆潮流される電力）を検知した場合（ステップＳ２１１で「ＹＥＳ」）、切替装置１５０を第三切替状態（図１６参照）とする。一方、ＥＭＳ１６０は、第二センサ４２が買電（系統電源Ｋから購入される電力）を検知した場合（ステップＳ２１４で「ＹＥＳ」）、切替装置１５０を初期状態（図１３参照）に戻す。
【０１４４】
次に、図１７を用いて、ステップＳ２１２において切替装置１５０を第三切替状態（図１６参照）とした場合の、電力供給システム１０１による電力の供給（融通）態様について具体的に説明する。つまり、図１７は、最も下流側の蓄電池１２が充電優先順位第一位である（すなわち、蓄電池１２・２２のうち、蓄電池１２の蓄電池残量が最も少ない）場合を示している。
【０１４５】
図１７において、第一センサ４１とハイブリッドパワコン２３とが接続され、第二センサ４２とハイブリッドパワコン１３とが接続されている。また、蓄電池２２は放電停止とされている（ステップＳ２１３参照）。
【０１４６】
したがって、各蓄電システムから負荷Ｈへの電力供給量は、第一センサ４１に接続された第二蓄電システム２０、第二センサ４２に接続された第一蓄電システム１０の順に決定される。
【０１４７】
図１７に示すように、太陽光発電部２１の発電電力（３０００Ｗ）は、ハイブリッドパワコン２３を介して電力経路Ｌへと出力され、負荷Ｈに供給される。また、放電停止とされた蓄電池２２からは放電されない。このように、第二蓄電システム２０から３０００Ｗの電力が負荷Ｈに供給される。
【０１４８】
また、太陽光発電部１１の発電電力（３０００Ｗ）の一部の電力（２０００Ｗ）が、負荷Ｈに供給される。これにより負荷Ｈの消費電力（５０００Ｗ）が賄われるので、第二センサ４２の検出値は０Ｗとなる。したがって、ハイブリッドパワコン１３は、太陽光発電部１１の発電電力の残りの電力（１０００Ｗ）を、蓄電池１２に充電させる。
【０１４９】
このように、下流側の蓄電池１２が充電優先順位第一位である（すなわち、蓄電池１２の蓄電池残量が蓄電池２２の蓄電池残量よりも少ない）場合、切替装置１５０を第三切替状態（図１６参照）に切り替えることで、当該蓄電池１２を放電状態（図１４参照）から充電状態（図１７参照）とすることができる。したがって、蓄電池残量の少ない蓄電池１２の蓄電池残量を増やすことができ、ひいては蓄電池１２・２２の蓄電池残量の偏りを緩和することができる。
【符号の説明】
【０１５０】
１                  電力供給システム
１０                第一蓄電システム
１１・２１・３１    太陽光発電部
１２・２２・３２    蓄電池
１３・２３・３３    ハイブリッドパワコン
２０                第二蓄電システム
３０                第三蓄電システム
４１                第一センサ
４２                第二センサ
４３                第三センサ
５０                切替装置
６０                ＥＭＳ
【図１】
2019054594.tif 000003
【図２】
2019054594.tif 000004
【図３】
2019054594.tif 000005
【図４】
2019054594.tif 000006
【図５】
2019054594.tif 000007
【図６】
2019054594.tif 000008
【図７】
2019054594.tif 000009
【図８】
2019054594.tif 000010
【図９】
2019054594.tif 000011
【図１０】
2019054594.tif 000012
【図１１】
2019054594.tif 000013
【図１２】
2019054594.tif 000014
【図１３】
2019054594.tif 000015
【図１４】
2019054594.tif 000016
【図１５】
2019054594.tif 000017
【図１６】
2019054594.tif 000018
【図１７】
2019054594.tif 000019